(57)【要約】      （修正有） 【課題】ゴミを紙で包んだ状態でゴミ袋に入れ処理出来るゴミ箱本体と内枠からなる二重構造のゴミ箱を提供する。【解決手段】内枠は縦方向の折線を介し対角で扁平に折り畳めゴミ箱本体１の中へスムーズに出し入れ出来る余裕を持たせた一回り小さい大きさであって内枠２を内側シート３で巻き被いゴミ袋４等を被せゴミ箱本体の中へ収容する事でゴミが紙類で被われた状態で処理できる。【選択図】図１
0003161326.tif 000002
【実用新案登録請求の範囲】
【請求項１】
底を有するゴミ箱本体と、このゴミ箱本体の内部に収容する筒状の内枠からなり前記ゴミ箱本体の内側と前記内枠の外側の間に形成される隙間が１〜３０ｍｍであることを特徴とするゴミ箱。
【考案の詳細な説明】
【技術分野】
【０００１】
本考案はゴミ箱内枠に紙、新聞紙、紙袋のいずれかとビニール製、ポリエチレン製ポリプロピレン製のいずれかからなるゴミ袋をセットし使用する二重構造のゴミ箱に関する。
【背景技術】
【０００２】
従来ゴミをゴミ箱に捨てる際ゴミ箱に直接捨てるかゴミ箱の中にゴミ袋を入れ、その中に捨てていた。近年、行政指定ゴミ袋を使用してゴミを捨てる習わしで各ゴミ袋のサイズに合わせたゴミ箱が必要とされている。
【０００３】
例えばゴミ箱本体の入口縁に巻き掛けられる袋からなる外袋内に入れてなるゴミ箱が開示されている。（実願平１０―３６４３）
【０００４】
またゴミ箱本体にレジ袋の持ち手部分を引っ掛けることの出来るフックとなる穴を略対角線上に設け、そのフックを利用することでレジ袋を固定させるゴミ箱が開示されている。（登録実用新案第３１３８９７８号）
【先行技術文献】
【特許文献】
【０００５】
【特許文献１】実願平１０―３６４３号（実用新案登録第３０５３９７６号）
【特許文献２】登録実用新案第３１３８９７８号
【考案の概要】
【考案が解決しようとする課題】
【０００６】
しかしながら実願平１０―３６４３、登録実用新案第３１３８９７８号のゴミ箱ではゴミをゴミ袋、レジ袋に入れて処理出来るがゴミ袋の中の様子が丸見えであり個人情報を守る事が出来ない。カラスなどの外敵がゴミをあさりゴミ置き場の環境が汚されるなどの被害を受け先の尖った物がゴミ袋に傷をつけ破れやすくゴミから発生する余分な水分、臭いが異臭の元となり不快感を与えていた。
【０００７】
本考案はゴミを紙、新聞紙、紙袋に包んだ状態でゴミ袋に入れて捨てる事が出来るので個人情報を守る事が出来カラスなどの外敵がゴミをあさりゴミ置き場の環境が汚されるなどの被害を防ぐ事が出来、先の尖った物がゴミ袋に傷をつけにくく破れにくくすることが出来る。
【０００８】
またゴミを紙、新聞紙、紙袋に包んだ状態でゴミ袋に入れて捨てるのでゴミから発生する異臭の元となる余分な水分、臭いを抑えることが出来る。
【課題を解決するための手段】
【０００９】
本考案は底を有するゴミ箱本体と、このゴミ箱本体の内部に収容する筒状の内枠からなり前記ゴミ箱本体の内側と前記内枠の外側の間に形成される隙間が１〜３０ｍｍであることを特徴とするゴミ箱である。
【００１０】
ゴミ箱本体はゴミの内容、用途に応じて材質を決めればよい。例えば紙くずなどの軽いゴミ、水気のない家庭用一般ゴミはダンボール製、厚紙製、木製等を用い、生ゴミ、植物、汚物等はプラスチック製、ポリプロピレン製、ステンレス製、ビニール製等を用いる。ゴミ箱本体が透明の素材であればゴミ袋の柄、文字が見え分別に便利である。内枠はゴミ箱本体よりも一回り小さいサイズであってゴミ箱本体同様ゴミの内容、用途に応じて材質を決め縦方向の折線を介し対角で扁平に折り畳めるものである。
【００１１】
内枠は底を有しない円筒、柱状のもので形成するが特にその外周はネット、空気孔を有するものであればゴミの水分、臭い等を内側シートに吸収させ易くなるものである。
【００１２】
二重構造のゴミ箱を紙、新聞紙とゴミ袋をセットする際、内枠をゴミ箱本体より抜き出し対角で扁平に折り畳んで立たせた状態で紙、新聞紙を巻き被い、次にゴミ袋を被せた後、内枠入口が上になるようにゴミ箱本体内部に収容する。
【００１３】
二重構造のゴミ箱を紙袋とゴミ袋をセットする際、内枠をゴミ箱本体より抜き出した状態で紙袋を上から被せ、次にゴミ袋を被せた後、内枠入口が上になるようにゴミ箱本体内部に収容する。
【００１４】
内枠にセットする紙、新聞紙は内枠を一周できる幅をもち内枠の等倍以上、約２倍以下の高さを有するものである。新聞紙をセットする時は二つ折りにした新聞紙の間に縦方向の折線を介し対角で扁平に折り畳んだ内枠を挟み、巻き被い、内枠底入口よりはみ出した部分は内枠底入口縁に沿って合わせ折り内枠の中へ押し入れる。
【００１５】
内枠にセットする紙袋では内枠の底の形、高さに合わせたものであって内枠に被せる。
【００１６】
ゴミ袋は行政指定のポリエチレン製ゴミ袋やポリプロピレン製レジ袋であって内枠サイズに合わせて決める。
【考案の効果】
【００１７】
本考案に係る二重構造のゴミ箱はゴミ箱本体と内枠の間に紙、新聞紙、紙袋のいずれかとゴミ袋を挟みセットする事でゴミを紙に包んで処理する事が出来、ゴミの様子が見えず個人情報が守られカラス等の外敵から被害を防ぐ事が出来、先の尖った物でゴミ袋に傷が付きにくく紙、新聞紙、紙袋が余分な水分、臭いを吸収し異臭を抑え公共道路たるゴミ置き場の環境を美しく衛生的に保つことが出来る。
【図面の簡単な説明】
【００１８】
【図１】本考案のゴミ箱の使用状態を示す斜視図
【図２】本考案のゴミ箱の使用状態を示す縦断面図
【図３】本考案のゴミ箱の組立て工程を示す模式図
【考案を実施するための形態】
【００１９】
以下、本考案の二重構造のゴミ箱５の最良な形態について図面に示す実施例に基づいて具体的に説明する。図１はゴミ箱本体１と内枠２の二重構造のゴミ箱５であり内枠２はゴミ箱本体１より一回り小さい大きさで出し入れがスムーズに出来る余裕を持たせ高さはゴミ箱本体１と同じくらいの長さとする。ゴミ箱５は巾２５ｃｍ奥行き１７ｃｍ高さ２８ｃｍのものを使った。内枠は巾２３．５ｃｍ奥行き１５．５ｃｍ高さ２８ｃｍとした。この間の隙間は５ｍｍ程度となった。
【００２０】
図２のように内枠２を内側シート３で包み被います。内側シート３は新聞紙、紙製シートとする。この理由に新聞紙の広げた巾は内枠２の外周を一周でき、高さは内枠２の約二倍の大きさであり、内枠２を巻き被うのに充分な大きさである。また新聞紙は余分な水分、臭いを吸収する性質を持っており異臭を防ぐ事が出来る。図２中央の盛り上がった部分は内枠２を新聞紙で巻き被う時、余った部分を内枠２の底内部に押し入れた状態を示す。
【００２１】
内側シート３を予め底にある紙袋でも代用でき、この場合内枠２を立たせ被せるだけで内枠２に紙を巻き被う手間が省けて便利である。
【００２２】
ゴミ袋４は行政指定のポリエチレン製ゴミ袋やポリプロピレン製レジ袋であって内枠２と内側シート３をゴミ袋４の中へ収容した時ゴミ袋４の入口縁がゴミ箱５入口縁に届くか、それ以上の大きさであって、はみ出した部分はゴミ箱本体１に巻きかけるか、持ち手のあるゴミ袋４は持ち手部分をゴミ箱本体１外側にたらしかける。
【００２３】
図２のＢで示したゴミ箱本体１の内側と内枠２の外側の間に形成された隙間は１〜３０ｍｍとする。この理由はこの範囲より小さいと隙間Ｂの中にある内側シート３とゴミ袋４の厚みによりゴミ箱本体１への内枠２の出し入れが困難となる。またＢが３０ｍｍより大きいと内枠２の位置が定まらず不安定でゴミがＢの隙間に落ちることにより不都合である。
【００２４】
図３に基づき組立の説明をしておく。（１）は内枠２を内枠入口縁に合わせ新聞紙を巻き被い内枠２を底縁よりはみ出した部分を内枠底入口縁に沿って合わせ折り内枠２の中へ押し入れる。図面中央の盛り上がった部分は新聞紙が重なった状態を示す。
次に（２）では（１）をゴミ袋４の中に内枠２の底が下にくるように入れる。この時ゴミ袋は内枠入口縁に届くか、それ以上の大きさである。
次に（３）ではゴミ箱本体１の内部へ（２）を収容しゴミ箱本体１よりはみ出したゴミ袋４はゴミ箱本体１に巻きかけるか、持ち手のあるゴミ袋４は持ち手をゴミ箱本体１外側にたらしかける。
【００２５】
上記工程によりセットされた本考案はゴミを始末する際、内枠２のみを抜き取りゴミ袋４を引き上げ出す事でゴミが内側シート３で包まれた状態で中の様子が見えない二重構造のゴミ箱５で手を汚す事なく簡単にまとめる事が出来、実用性に優れている。
【産業上の利用可能性】
【００２６】
日用品の業界において活用できる。
【符号の説明】
【００２７】
１  ゴミ箱本体
２  内枠
３  内側シート
４  ゴミ袋
５  ゴミ箱
【図１】
0003161326.tif 000003
【図２】
0003161326.tif 000004
【図３】
0003161326.tif 000005